(57)【要約】【課題】  乾燥性の悪いインクを用いて印刷を行う場合や、インク浸透性が悪い記録材料に対して印刷を行う場合でも、印刷表面のインクを短時間で乾燥させることが可能なインクジェット印刷装置を提供する。【解決手段】  インクジェット印刷装置は、印刷ユニット１０と、乾燥ユニット２０とを備える。印刷ユニット１０は、ケーシング１１内に、印刷部３０と、加熱ローラ４１と加熱ローラ４２とからなる乾燥部４０とを備え、乾燥ユニット２０は、ウェブＷを巻回させてウェブＷの印刷裏面から伝導伝熱乾燥を行う加熱ローラ６０と、ウェブＷの印刷表面に温風を吹きつけて対流伝熱乾燥を行う温風乾燥機構１００とを備える。【選択図】        図１
2012076227.tif 000002
【特許請求の範囲】
【請求項１】
搬送されるウェブ上にインクを吐出させて印刷を実行する印刷部と、前記ウェブ上に吐出されたインクを乾燥させる乾燥部を有する印刷ユニットを備えるインクジェット印刷装置において、
前記印刷ユニットにおける乾燥部とは別に配設され、前記ウェブ上に吐出されたインクを乾燥させる乾燥ユニットと、
前記印刷部を通過したウェブを前記印刷ユニットから前記乾燥ユニットに搬送する第１乾燥搬送機構と、
前記乾燥ユニットで乾燥されたウェブを前記乾燥ユニットから前記印刷ユニットにおける乾燥部に搬送する第２乾燥搬送機構と、
を備えることを特徴とするインクジェット印刷装置。
【請求項２】
請求項１に記載のインクジェット印刷装置において、
前記印刷ユニットは、前記印刷部と前記乾燥部とを収容する筐体を有し、
前記乾燥ユニットは、前記筐体の外部に配設されるインクジェット印刷装置。
【請求項３】
請求項２に記載のインクジェット印刷装置において、
前記乾燥ユニットは、
前記ウェブを巻回させて前記ウェブの印刷裏面から伝導伝熱乾燥を行う加熱ローラと、
前記ウェブの印刷表面に温風を吹き付けて対流伝熱乾燥を行う温風乾燥機構と、
を備えるインクジェット印刷装置。
【請求項４】
請求項３に記載のインクジェット印刷装置において、
前記温風乾燥機構は、
外気を前記乾燥ユニットに取り込む吸気ブロアと、
前記吸気ブロアより取り入れられた外気を熱するヒータと、
前記加熱ローラを囲むように配置された複数の囲み板と、
前記ヒータにより加熱された外気を温風として前記加熱ローラと前記囲み板の間に供給する複数の温風供給管と、
前記加熱ローラと前記囲み板の間に供給された温風を、前記囲み板に接続された複数の管路を介して前記乾燥ユニット外に排出する排気ブロアと、
を備えるインクジェット印刷装置。
【請求項５】
請求項１から請求項４のいずれかに記載のインクジェット印刷装置において、
前記ウェブは、ウェブ搬送幅の半分の幅の半幅ウェブであり、
前記印刷ユニットは、
前記乾燥ユニットを経由して前記乾燥部に搬送された前記半幅ウェブを反転させる反転部と、前記反転部において反転された前記半幅ウェブを前記印刷部に搬送する裏面搬送機構とを備え、
前記印刷部は、
給紙部から供給される前記半幅ウェブの表面に対して印刷を行うとともに、前記乾燥ユニットを経由して前記裏面搬送機構により供給される前記半幅ウェブの裏面に対して印刷を行う、インクジェット印刷装置。
【請求項６】
請求項１から請求項５のいずれかに記載のインクジェット印刷装置において、
前記乾燥部は、加熱ローラを有するインクジェット印刷装置。
【請求項７】
請求項１から請求項５のいずれかに記載のインクジェット印刷装置において、
前記乾燥部は複数の加熱ローラを有し、
前記複数の加熱ローラのうちの少なくとも１つは、前記ウェブの印刷表面に当接するインクジェット印刷装置。
【発明の詳細な説明】
【技術分野】
【０００１】
この発明は、搬送されるウェブに印刷を行うインクジェット印刷装置に関する。
【背景技術】
【０００２】
連続したロール状の記録媒体であるウェブに印刷を行うインクジェット印刷装置では、複数のローラにより支持されて搬送されるウェブに対して、複数のインクジェットノズルからインクを吐出させることにより印刷を行っている。ウェブの搬送路に複数のローラを備える印刷装置では、印刷後のウェブを搬送するときに、印刷の表面に当接するローラにインクが転写されることによる装置および印刷物の汚れの発生が問題となる。このため、このような印刷不良の発生を防止する目的で、印刷直後にインクを乾燥させるための乾燥手段を備えた印刷機が提案されている（特許文献１および特許文献３参照）。
【先行技術文献】
【特許文献】
【０００３】
【特許文献１】特開２００５−３１９７９６号公報
【特許文献２】特開２００１−１９９０４５号公報
【特許文献３】特開２００４−２９９２２８号公報
【発明の概要】
【発明が解決しようとする課題】
【０００４】
近年、印刷に使用されるインクとしては、環境に配慮した揮発性の低い溶媒を用いたインクや水性インクの使用が増加している。これらの水性インク等は乾燥が遅いため、従来のこの種のインクジェット印刷装置では、最大印字率（４色のインクＣＭＹＫのトータルの許容最大絵柄面積率）を、現在備えられている乾燥手段で乾燥が可能な程度（約１５０％）に設定してる。印刷品質を高めるためには最大印字率の向上が求められるが、インクジェット印刷装置では最大印字率がオフセット印刷の１／３〜１／２程度となるため、いわゆる浅い画像の印刷となることを余儀なくされている。
【０００５】
また、コート紙のようにインクの浸透性の低い記録材料では、水性インクより揮発性の高い油性インクを使用した場合でも、印刷後の記録媒体が印刷表面に最初に当接するローラが配置されている位置に搬送されるまでに、インクを十分に乾燥させることができずに、ローラ等に付着したインクによる印刷不良が増加するという問題もある。
【０００６】
この発明は、上記課題を解決するためになされたものであり、乾燥性の悪いインクを用いて印刷を行う場合や、インク浸透性が悪い記録材料に対して印刷を行う場合でも、印刷表面のインクを短時間で十分に乾燥させることが可能なインクジェット印刷装置を提供することを目的とする。
【課題を解決するための手段】
【０００７】
請求項１に記載の発明は、搬送されるウェブ上にインクを吐出させて印刷を実行する印刷部と、前記ウェブ上に吐出されたインクを乾燥させる乾燥部を有する印刷ユニットを備えるインクジェット印刷装置において、前記印刷ユニットにおける乾燥部とは別に配設され、前記ウェブ上に吐出されたインクを乾燥させる乾燥ユニットと、前記印刷部を通過したウェブを前記印刷ユニットから前記乾燥ユニットに搬送する第１乾燥搬送機構と、前記乾燥ユニットで乾燥されたウェブを前記乾燥ユニットから前記印刷ユニットにおける乾燥部に搬送する第２乾燥搬送機構と、を備えることを特徴とする。
【０００８】
請求項２に記載の発明は、請求項１に記載の発明において、前記印刷ユニットは、前記印刷部と前記乾燥部とを収容する筐体を有し、前記乾燥ユニットは、前記筐体の外部に配設される。
【０００９】
請求項３に記載の発明は、請求項２に記載の発明において、前記乾燥ユニットは、前記ウェブを巻回させて前記ウェブの印刷裏面から伝導伝熱乾燥を行う加熱ローラと、前記ウェブの印刷表面に温風を吹き付けて対流伝熱乾燥を行う温風乾燥機構と、を備える。
【００１０】
請求項４に記載の発明は、請求項３に記載の発明において、前記温風供給機構は、外気を前記乾燥ユニットに取り込む吸気ブロアと、前記吸気ブロアより取り入れられた外気を熱するヒータと、前記加熱ローラを囲むように配置された複数の囲み板と、前記ヒータにより加熱された外気を温風として前記加熱ローラと前記囲み板の間に供給する複数の温風供給管と、前記加熱ローラと前記囲み板の間に供給された温風を、前記囲み板に接続された複数の管路を介して前記乾燥ユニット外に排出する排気ブロアと、を備える。
【００１１】
請求項５に記載の発明は、請求項１から請求項４のいずれかに記載の発明において、前記ウェブは、ウェブ搬送幅の半分の幅の半幅ウェブであり、前記印刷ユニットは、前記乾燥ユニットを経由して前記乾燥部に搬送された前記半幅ウェブを反転させる反転部と、前記反転部において反転された前記半幅ウェブを前記印刷部に搬送する裏面搬送機構とを備え、前記印刷部は、給紙部から供給される前記半幅ウェブの表面に対して印刷を行うとともに、前記乾燥ユニットを経由して前記裏面搬送機構により供給される前記半幅ウェブの裏面に対して印刷を行う。
【００１２】
請求項６に記載の発明は、請求項１から請求項５のいずれかに記載の発明において、前記乾燥部は、加熱ローラを有する。
【００１３】
請求項７に記載の発明は、請求項１から請求項５のいずれかに記載の発明において、前記乾燥部は複数の加熱ローラを有し、前記複数の加熱ローラのうちの少なくとも１つは、前記ウェブの印刷表面に当接する。
【発明の効果】
【００１４】
請求項１に記載の発明によれば、印刷後のウェブを乾燥ユニットに搬送して乾燥を行った後に、さらに印刷ユニットの乾燥部で乾燥を行うことから、乾燥性の悪いインクを用いて印刷を行った場合や、インク浸透性が悪い記録材料に対して印刷を行った場合でも、印刷物表面のインクを十分に乾燥させることができる。このため、ローラへのインク転写による装置の汚れや印刷不良を防止することができる。
【００１５】
請求項２に記載の発明によれば、印刷ユニットは筐体を有し、乾燥ユニットは筐体外に配設されることから、乾燥ユニットの影響による印刷部のインクジェットノズルの乾燥を低減することができ、乾燥ユニットの乾燥能力を高いものとすることができる。また、印刷ユニットのみからなる印刷装置に対して、乾燥ユニットを増設するだけで、インクジェット印刷装置全体の乾燥能力を高めることも可能となる。
【００１６】
請求項３に記載の発明によれば、乾燥ユニットでは、印刷裏面から加熱ローラによる伝導伝熱乾燥を行い、印刷表面からは温風による対流伝熱乾燥を行うことから、短い時間で効率的にインクを乾燥させることができる。
【００１７】
請求項４に記載の発明によれば、乾燥ユニットは、加熱ローラと囲み板により温風の流路を形成していることから、温風を乾燥ユニット内で無駄に拡散させることなく、効率的に短時間でインクを乾燥させることができる。
【００１８】
請求項５に記載の発明によれば、半幅ウェブの一方の面に印刷が行われた後に、乾燥ユニットと印刷ユニットの印刷部とで十分なインクの乾燥ができる。このため、他方の面を印刷するために半幅ウェブを再度印刷部に搬送したときに、半幅ウェブを反転させたことですでに印刷された面がウェブ搬送のための多数のローラに当接しても、インクがローラに転写されることがないため、半幅ウェブの両面印刷が可能となる。
【００１９】
請求項６に記載の発明によれば、印刷ユニットの乾燥部は加熱ローラにより乾燥を行うことから、温風による乾燥のように、温風が印刷部に流れてインクジェットノズルを乾燥させることによるノズル欠けによる印刷不良が低減できる。
【００２０】
請求項７に記載の発明によれば、乾燥部は、温風による対流伝熱乾燥と比較して乾燥効率の高い加熱ローラを複数有し、複数の加熱ローラのうちの少なくとも１つは、ウェブの印刷表面に当接することから、ウェブの表裏の両方の面において、乾燥状態を安定化させることができる。
【図面の簡単な説明】
【００２１】
【図１】この発明の第１実施形態に係るインクジェット印刷装置の概要図である。
【図２】印刷部３０付近の平面図である。
【図３】乾燥ユニット２０における加熱ローラ６０と温風乾燥機構１００の概要を示す説明図である。
【図４】乾燥ユニット２０の加熱ローラ６０の温度制御に関する主要な電気的構成を示すブロック図である。
【図５】この発明の第２実施形態に係るインクジェット印刷装置の概要図である。
【図６】この発明の第３実施形態に係るインクジェット印刷装置の概要図である。
【図７】印刷部３０付近の平面図である。
【図８】反転部８０の概要図である。
【発明を実施するための形態】
【００２２】
この発明の実施の形態を、図面に基づいて説明する。図１は、この発明の第１実施形態に係るインクジェット印刷装置の概要図である。図２は、印刷部３０付近の平面図であり、図３は、乾燥ユニット２０における加熱ローラ６０と温風乾燥機構１００の概要を示す説明図である。
【００２３】
このインクジェット印刷装置は、ケーシング１１を有する印刷ユニット１０と、ケーシング２１を有する乾燥ユニット２０と、制御部７０から構成される。印刷ユニット１０と乾燥ユニット２０とは、その間にオペレータが進入してメンテナンス作業を行うことが可能なスペースを設けるように配置される。印刷ユニット１０と乾燥ユニット２０との間のスペースは、印刷時には印刷ユニット１０と乾燥ユニット２０との間を搬送されるウェブＷの搬送通路となるため、メンテナンスを行なわないときは、カバー部材９０により覆われている。
【００２４】
制御部７０は、コンピュータやシーケンサーおよびこれらの周辺機器によって構成され、後述する温度設定部７１、温度制御回路７２等を備える。そして、制御部７０は、後述する印刷部３０における印刷制御、加熱ローラ４１、４２、６０の温度設定等の温度制御、温風乾燥機構１００における風量制御および温度制御、モータ１９、６９の駆動を制御することによるウェブ搬送制御等の各種制御を実行する。
【００２５】
印刷ユニット１０は、ケーシング１１内に、印刷部３０と、加熱ローラ４１と加熱ローラ４２からなる乾燥部４０とを備える。印刷部３０は、複数のローラに支持されて搬送されるウェブＷの印刷面と対向する位置に配設され、図２に示すように、Ｃ（シアン）、Ｍ（マゼンタ）、Ｙ（イエロー）、Ｋ（ブラック）の各インクを吐出するインクジェットノズルをウェブＷの搬送幅に亘って形成させた、ノズルヘッド３２ｃ、３２ｍ、３２ｙ、３２ｋを備える。なお、図２においては、ウェブＷの裏面を支持するローラの図示を省略している。また、このインクジェット印刷装置で使用されるインクは、揮発性の低い大豆油インクや水性インク等である。
【００２６】
ケーシング１１には、図示しない給紙装置からウェブＷを搬入する給紙口１２、乾燥ユニット２０との間でウェブＷの搬出および搬入を行うための搬出搬入口１３、ウェブＷを図示しない排紙装置へ搬送するための排紙口１４がそれぞれ形成されている。また、ケーシング１１内の排紙口１４側に、モータ１９が配設されている。
【００２７】
乾燥ユニット２０は、ウェブＷを巻回させてウェブＷの印刷裏面から伝導伝熱乾燥を行う加熱ローラ６０と、ウェブＷの印刷表面に温風を吹きつけて対流伝熱乾燥を行う温風乾燥機構１００とを備える。
【００２８】
加熱ローラ６０は、図３に示すように、ウェブＷの印刷表面を外側にしてウェブＷを巻回させる外筒６１と、熱源としてのハロゲンランプ６５を内蔵した内筒６２とを備える。外筒６１の表面のウェブＷと接触しない位置に、外筒６１の表面での温度を測定するためのサーミスタ６４が配設され、サーミスタ６４により測定された温度は、後述する温度制御回路７２に伝達される。内筒６２の内部には３ｋＷ程度のハロゲンランプ６５が、加熱ローラ６０の軸を中心に同心円状に９本配設されている。そして、内筒６２は無端ベルト６３を介してモータ６９に連結されている。このため、加熱ローラ６０は、モータ６９の回転により矢印ｈに示す方向に回転する。
【００２９】
次に、加熱ローラ６０の温度制御について説明する。図４は、乾燥ユニット２０の加熱ローラ６０の温度制御に関する主要な電気的構成を示す概要図である。
【００３０】
加熱ローラ６０の設定温度は、温度設定部７１により設定される。加熱ローラ６０の温度は、サーミスタ６４で測定され、その測定値は温度制御回路７２に送信される。温度制御回路７２は、加熱ローラ６０の設定温度と実測温度との比較に基づき、ＳＳＲ等のリレー７５にハロゲンランプのＯＮ／ＯＦＦ信号を送信する。リレー７５は、温度制御回路７２からの制御信号に基づきハロゲンランプ６５のＯＮ／ＯＦＦを行う。また、各ハロゲンランプ６５はランプ切れをチェックするためのランプチャック回路７４に接続されており、ランプ切れ信号等が温度制御回路７２に送信される構成となっている。
【００３１】
加熱ローラ６０は、サーモスタット７８により温度監視が行われており、加熱ローラ６０に異常な温度上昇などが発生した場合には、リレーを有するインターロック回路７３を介して電源７６との接続スイッチ７７をＯＦＦとするようにしている。また、インターロックの作動信号は、インターロック回路７３から温度制御回路７２に送信される構成となっている。このような構成により、加熱ローラ６０は、設定された所定の温度に保たれ、ウェブＷの全体に亘って、均一な乾燥を実現している。
【００３２】
ここまで、加熱ローラ６０の温度制御について説明したが、印刷ユニット１０の乾燥部４０における加熱ローラ４１、４２も、加熱ローラ６０と同様の構成により温度制御される。なお、加熱ローラ４１、４２には、１．５ｋＷ程度のハロゲンランプが３本配設されている。
【００３３】
再度図３を参照して、温風乾燥機構１００について説明する。温風乾燥機構１００は、吸気口１１０から乾燥ユニット２０のケーシング２１の外の空気を取り込むための吸気ブロア１１１と、取り込まれた外気を熱するヒータ１１２と、加熱ローラ６０を囲むように加熱ローラ６０の外周に沿うように配設された２枚の囲み板１３０と、温風供給管１１７、１１８、１１９と、温風を排気口１２０から乾燥ユニット２０のケーシング２１の外に排出するための排気ブロア１２１とを備える。
【００３４】
吸気ブロア１１１の動作により、粉塵除去のためのフィルターユニット１３３が装着された吸気口１１０から外気が取り込まれる。取り込まれた外気は、効率よく外気を熱するために２流路に分岐した管路１１５、１１６を通過する間に、ヒータ１１２により加熱され、温風となる。ヒータ１１２は、サーモスタット１１３により温度調節されている。また、管路１１５、１１６におけるヒータ１１２の下流側には、温風の温度を測定するためのサーミスタ１１４が、それぞれ配設され、温風の温度の監視を行う構成となっている。なお、ヒータ１１２に対する管路の数は２に限定されるものではなく、多数管路が集合した構成であってもよい。
【００３５】
温風は、さらに３流路に分岐した温風供給管１１７、１１８、１１９を介して、加熱ローラ６０と囲み板１３０との間に形成された隙間に供給される。温風供給管１１７、１１８、１１９の温風吹き出し口には、それぞれノズル１３２が配設されている。そして、加熱ローラ６０に巻回されたウェブＷの印刷表面に向かって、各ノズル１３２から温風が吹き付けられる。なお、温風供給管の数は３に限定されるものではない。
【００３６】
各囲み板１３０には、ノズル１３２からの温風吹き出しの下流となる位置に吸気ダクト１３１が形成されている。各吸気ダクト１３１には吸気ブロア１２１に接続された排気管１２５、１２６が接続され、温風吹き付け等によるインクの乾燥に伴って印刷表面から発生した水蒸気を強力に吸引することが可能な構成となっている。吸気ブロア１２１の動作により、加熱ローラ６０と囲み板１３０との間に供給された温風は、印刷表面から発生した水蒸気とともに、吸気ダクト１３１および排気管１２５、１２６を介して、排気口１２０から乾燥ユニット２０のケーシング２１の外へと排出される。
【００３７】
このインクジェット印刷装置では、給紙口１２から印刷ユニット１０に搬入されたウェブＷは、乾燥ユニット２０の加熱ローラ６０の内筒６２に接続されたモータ６９の駆動により、その裏面を複数のローラに支持された状態で搬送される。ウェブＷが印刷部３０を通過するときに、ノズルヘッド３２ｃ、３２ｍ、３３ｙ、３４ｋの各ノズルからウェブＷに向かってインクが吐出され、印刷が行われる。しかる後、ウェブＷは裏面を複数のローラに支持され、搬出搬入口１３から乾燥ユニット２０へと搬出される。
【００３８】
乾燥ユニット２０では、ウェブＷは印刷表面を外側に向けて加熱ローラ６０の外筒６１に巻回され、印刷裏面側からは加熱ローラ６０による伝導伝熱乾燥が行われるとともに、印刷表面側からは、温風乾燥機構１００による対流伝熱乾燥が行われる。なお、対流伝熱乾燥よりも伝導伝熱乾燥のほうが、熱伝導効率が良いことが知られているが、一方で、ウェブの乾燥においては、乾燥時にインクの水分が水蒸気となって放出され、この水蒸気が印刷表面に滞留すると印刷品質が劣化することにもなる。このため、この乾燥ユニット２０では、温風吹き付けによる対流伝熱乾燥を行い、温風を速やかに排出することで、水蒸気が印刷表面に滞留しないようにしている。
【００３９】
加熱ローラ６０と温風乾燥機構１００による乾燥処理を経たウェブＷは、複数のローラに支持され、再び搬出搬入口１３から印刷ユニット１０へと搬入される。そして、ウェブＷはモータ１９、６９の駆動により乾燥部４０へと搬送される。なお、印刷ユニット１０の印刷部３０から乾燥ユニット２０を経て印刷ユニット１０の乾燥部４０に至るまでのウェブＷの搬送路において、印刷表面に当接するローラは、印刷表面への当接時に乾燥不足のインクの付着を低減するため、テフロン（デュポン社の登録商標）ローラを採用するのが好ましい。
【００４０】
乾燥部４０に搬送されたウェブＷは、加熱ローラ４１に対しては印刷表面を外側にして巻回され、加熱ローラ４２に対しては印刷裏面を外側にして巻回される。このため、ウェブＷを、印刷表面と印刷裏面の両面からさらに乾燥させることができる。なお、この乾燥部４０では、ウェブＷが予め乾燥ユニット２０によって乾燥されているので、加熱ローラ４１、４２に内設するハロゲンランプの消費電力量を、乾燥ユニット２０の加熱ローラ６０ほど大きくしなくてよい。また、ウェブＷに吐出されたインクの水分の大部分が、ケーシング１１の外部に配設した乾燥ユニット２０における乾燥で除去されているので、乾燥部４０での乾燥では、乾燥時に水蒸気を大量に発生することがなく、乾燥部４０と同一筐体内に配設されている印刷部３０のインクジェットノズルに目詰まり等を生じさせることはない。
【００４１】
乾燥ユニット２０と印刷ユニット１０の乾燥部４０により、印刷表面と印刷裏面の両面が十分に乾燥されたウェブＷは、駆動ローラ１９の駆動により、複数のローラに支持された状態で排紙口１４から印刷ユニット１０から排出される。印刷ユニット１０から排出されたウェブＷは、乾燥ユニット２０のケーシング２１の下部を通して、図示しない排紙装置へと搬送される。なお、この実施形態では、乾燥ユニット２０の後部に排紙装置を設置するレイアウトを想定しているが、排紙装置の配置に応じて、排紙口１４から排出されたウェブＷの搬送経路は変更することができる。また、このインクジェット装置は、印刷ユニット１０と乾燥ユニット２０を別個の筺体としていることから、給紙装置や排紙装置を含めて、ウェブ搬送路の簡易な組み換えを行うだけで、装置設置スペース等にあわせた様々な形態の装置レイアウトが可能である。
【００４２】
次に、この発明の第２実施形態について説明する。図５は、この発明の第２実施形態に係るインクジェット印刷装置の概要図である。なお、第１実施形態と同一の構成には同一の符号を付し、詳細な説明は省略する。
【００４３】
このインクジェット印刷装置においては、上述した第１実施形態とは異なり、印刷ユニット２１０に、単一の加熱ローラ２４１を有する乾燥部２４０を備える。加熱ローラ２４１は、上述した加熱ローラ４１、４２と同様に、内部に１．５ｋＷ程度のハロゲンランプを３本配設されている。なお、この乾燥部２４０で、第１実施形態における２本の加熱ローラ４１、４２からなる乾燥部４０と同等の乾燥能力を得たい場合には、加熱ローラ２４１に内設するハロゲンランプを、加熱ローラ４１、４２の消費電力量の２倍程度のものに変える、もしくは、加熱ローラ２４１の径を大きくしてハロゲンランプの本数を増やす等の変更が可能である。
【００４４】
乾燥ユニット２０から印刷ユニット２１０に搬送されたウェブＷは、加熱ローラ２４１に対して、印刷表面を外側にして巻回されることにより、印刷裏面側から乾燥される。なお、この実施形態では、ウェブＷを加熱ローラ２４１に対して、印刷表面を外側にして巻回する構成としているが、乾燥ユニット２０の加熱ローラ６０から印刷ユニット２１０の加熱ローラ２４１までのウェブＷの搬送路に配設するローラの本数や配設位置を適宜変更することで、ウェブＷを加熱ローラ２４１に対して印刷裏面が外側になるように巻回させ、印刷表面側から乾燥させる構成に変形することも可能である。
【００４５】
次に、この発明の第３実施形態について説明する。図６は、この発明の第２実施形態に係るインクジェット印刷装置の概要図である。図７は、印刷部３０付近の平面図であり、図８は、反転部８０の概要図である。なお、第１実施形態と同一の構成には同一の符号を付し、詳細な説明は省略する。また、図７では、半幅ウェブを裏面から支持するローラの図示を省略している。
【００４６】
このインクジェット印刷装置は、上述した第１実施形態とは異なり、通常サイズのウェブの半分の幅の半幅ウェブに対して両面印刷を行う装置であり、印刷ユニット３１０に、反転部８０を備える。
【００４７】
給紙口１２から印刷ユニット３１０に搬入された半幅ウェブＷは、図７において一点差線で示すウェブ搬送路の幅の半分の位置よりも、ウェブの進行方向に向かって右側を搬送される。なお、図７においてＷ１は、一方の面（表面）に印刷が行われた半幅ウェブを示し、Ｗ２は、両方の面（表裏面）に印刷が行われた半幅ウェブを示す。こうして印刷部３０と対向する位置に搬送された半幅ウェブＷに対して、ノズルヘッド３２ｃ、３２ｍ、３２ｙ、３２ｋにおけるウェブの進行方向に向かって右側に配置された各ノズルからインクが吐出され、１回目の印刷が行われる。一方の面（表面）にインクが吐出された半幅ウェブＷ１は、印刷ユニット３１０から乾燥ユニット２０へと搬出され、加熱ローラ６０および温風乾燥機構１００により乾燥が行われた後に、再度、印刷ユニット３１０に搬入され、印刷ユニット３１０の乾燥部４０を経て、反転部８０へと搬送される。
【００４８】
反転部８０では、図８に示すように、半幅ウェブＷ１は、ウェブの搬送方向に対して時計回りに約４５度傾斜させたターンバー８１に下から巻きかけられ、搬送方向が９０度変更される（矢印ｉ）。次に、半幅ウェブＷ１は、ローラ８２に上から巻きかけられ、搬送方向が１８０度変更され（矢印ｊ）、続いて、ウェブの搬送方向に対して半時計回りに約４５度傾斜させたローラ８３に下から巻きかけられてさらに搬送方向が９０度変更されるとともに、表裏面が反転される（矢印ｋ）。
【００４９】
なお、ターンバー８１、８３およびローラ８２には、半幅ウェブＷ１の印刷裏面側が当接している。また、図８においては、ターンバー８３の位置を、ターンバー８１と交差しない位置に描いているが、実際には、ターンバー８３は、ターンバー８１の垂直方向となる上方に配置されている。このため、反転部８０に搬入される半幅ウェブと、反転部８０から搬出される半幅ウェブとで、搬送方向に対する横方向へのズレが生じないようにしている。
【００５０】
しかる後、半幅ウェブＷ１は複数のローラに支持された状態で、再び印刷部３０へと搬送され、図７において一点差線で示すウェブ搬送路の幅の半分の位置よりも、ウェブの進行方向に向かって左側に位置するノズルヘッド３２ｃ、３２ｍ、３２ｙ、３２ｋの各ノズルからインクの吐出により印刷される。なお、このインクジェット印刷装置では、ノズルヘッド３２ｃ、３２ｍ、３２ｙ、３２ｋにおけるウェブの搬送方向に亘って列設されているノズルのうち、ウェブの搬送方向に向かって右側に位置するノズルと左側に位置するノズルとで異なる吐出制御を制御部７０が行うことで、半幅ウェブＷの表裏面に対して異なる画像の印刷を可能としている。
【００５１】
両面に印刷が行われた半幅ウェブＷ２は、乾燥ユニット２０へと搬出される。乾燥ユニット２０では、半幅ウェブＷ２が２回目の印刷によりインクが吐出された面を外側にして加熱ローラ６０に巻回されるとともに、加熱ローラ６０と温風乾燥機構１００とによる乾燥処理が行われる。加熱ローラ６０と温風乾燥機構１００とによる乾燥を経て、再度印刷ユニット３１０に搬入された半幅ウェブＷ２は、印刷ユニット３１０の乾燥部４０を経て、排紙口１４より印刷ユニット３１０から、図示しない排紙装置に向かって搬送される。
【００５２】
このインクジェット印刷装置では、上述した第１実施形態および第２実施形態と同様に、乾燥ユニット２０で加熱ローラ６０による伝導伝熱乾燥と温風乾燥機構１００による対流伝熱乾燥とを同時に行なっている。このため、半幅ウェブＷの表裏面を短時間で乾燥でき、表面の１回目の印刷から裏面の２回目の印刷との間に、長い乾燥時間をとる必要がなく、スムースに両面印刷をおこなうことが可能である。
【符号の説明】
【００５３】
１０    印刷ユニット
１１    ケーシング
１９    モータ
２０    乾燥ユニット
２１    ケーシング
３０    印刷部
４０    乾燥部
４１    加熱ローラ
４２    加熱ローラ
６０    加熱ローラ
６３    無端ベルト
６５    ハロゲンランプ
６９    モータ
７０    制御部
７１    温度設定部
７２    温度制御回路
７３    インターロック回路
７４    ランプチェック回路
７５    リレー
７６    電源
７７    スイッチ
８０    反転部
８１    ターンバー
８３    ターンバー
９０    カバー部材
１００    温風乾燥機構
１１０    吸気口
１１１    吸気ブロア
１１２    ヒータ
１１３    サーモスタット
１１４    サーミスタ
１１７    温風供給管
１１８    温風供給管
１１９    温風供給管
１２０    排気口
１２１    排気ブロア
１２５    排気管
１２６    排気管
１３０    囲み板
１３１    排気ダクト
２１０    印刷ユニット
２４０    乾燥部
２４１    加熱ローラ
３１０    印刷ユニット
【図１】
2012076227.tif 000003
【図２】
2012076227.tif 000004
【図３】
2012076227.tif 000005
【図４】
2012076227.tif 000006
【図５】
2012076227.tif 000007
【図６】
2012076227.tif 000008
【図７】
2012076227.tif 000009
【図８】
2012076227.tif 000010